(57)【特許請求の範囲】
【請求項１】
パケット無線接続を通してパケットデータを伝送するための時分割多重アクセス（ＴＤＭＡ）無線電話システムであって、
基地局および移動局と、
この基地局および移動局の間でパケット無線接続を通してパケットデータ通信するための複数のＴＤＭＡスロットからなる少なくとも一つの論理チャネルとを包含しており、
該少なくとも一つの論理チャネルのＴＤＭＡスロットの各々のスロットは、連続する物理的なＴＤＭＡフレームで発生しており、
該少なくとも一つの論理チャネルは、連続するＴＤＭＡフレームの中のチャネルから必要に応じてパケット伝送のために動的に予約されており、
予約されるパケットデータチャネルの数は必要に応じて可変になっており、
該少なくとも一つの論理チャネルは、複数の制御スロットからなる制御チャネル（Ｃ）と、
複数の情報スロットからなる情報チャネル（Ｉ）を含んでおり、
連続する物理的なＴＤＭＡフレームで生じる連続的な情報スロットにより、制御スロットが時間的に離されてなる
ことを特徴とするシステム。
【請求項２】
前記制御チャネル（Ｃ）は、誤りのない受信されたデータを示す肯定応答／再伝送要求バースト（ＡＲＱ）を含むことを特徴とする請求項１記載のシステム。
【請求項３】
前記論理チャネルは基地局から移動局への伝送のためのダウンリンク論理チャネルであり、前記制御チャネル（Ｃ）は、着信するパケットデータのことを移動局に知らせるためにパケット呼び出し（ＰＰ）データを伝送することができることを特徴とする請求項１または２記載のシステム。
【請求項４】
前記制御チャネル（Ｃ）は、移動局から送られたチャネル予約要求（ＰＲＡ）に対して肯定応答するためにパケットアクセス許可（ＰＡＧ）信号を伝送することができることを特徴とする請求項３記載のシステム。
【請求項５】
前記パケットアクセス許可（ＰＡＧ）信号は、アップリンクパケットデータ伝送のためにどのタイムスロットが予約されているかを示すビットマップを含むことを特徴とする請求項４記載のシステム。
【請求項６】
前記パケット呼び出し（ＰＰ）データは、ダウンリンクパケットデータ伝送のためにどのタイムスロットが予約されたかを示すビットマップを含むことを特徴とする請求項３または４記載のシステム。
【請求項７】
パケットデータ伝送のために移動局が何個のスロットの予約を求めているかについての情報を含むシステムアクセス型バーストの形のチャネル予約要求（ＰＲＡ）に応答することを特徴とする請求項１、２、３、４、５または６記載のシステム。
【請求項８】
ダウンリンク方向において、前記肯定応答／再伝送要求バースト（ＡＲＱ）は、前記パケット呼び出し（ＰＰ）と前記パケットアクセス許可（ＰＡＧ）との両方を含む組合わせチャネルバースト（Ｃ）の一部分であることを特徴とする請求項４記載のシステム。
【請求項９】
ダウンリンク方向において、前記肯定応答／再伝送要求バースト（ＡＲＱ）は、前記パケット呼び出し（ＰＰ）も含む制御バースト（Ｃ）の一部分であることを特徴とする請求項３記載のシステム。
【請求項１０】
ダウンリンク方向において、前記肯定応答／再伝送要求バースト（ＡＲＱ）は、パケットアクセス許可（ＰＡＧ）も含む制御バースト（Ｃ）の一部分であることを特徴とする請求項２記載のシステム。
【請求項１１】
前記制御バースト（Ｃ）は、アップリンク方向における空き論理チャネルおよび予約済み論理チャネルを示すビットマップを含むことを特徴とする請求項８、９または１０記載のシステム。
【請求項１２】
前記パケット呼び出し（ＰＰ）信号と前記パケットアクセス許可（ＰＡＧ）信号とは、制御チャネル（Ｃ）の交互のタイムスロットで送られ、この両方のバーストによって、移動局がこれらパケット呼び出し（ＰＰ）信号とパケットアクセス許可（ＰＡＧ）信号を識別することを可能にする識別子を含むことを特徴とする請求項９または１０記載のシステム。
【請求項１３】
送るべきパケット呼び出し（ＰＰ）がなくてかつ移動局による識別を可能にする識別子をバーストが含んでいるならば、前記パケットアクセス許可（ＰＡＧ）信号だけが制御チャネル（Ｃ）のタイムスロットで送られることを特徴とする請求項９または１０記載のシステム。
【請求項１４】
パケットデータを移動局から基地局へ送るために、情報転送に専用される空きチャネルがビットマップ上で特定されるまで移動局はダウンリンクチャネルで送られる制御バーストを監視するようになっており、
移動局は前記の識別されたチャネルのタイムスロットでチャネル予約要求（ＰＲＡ）を送るようになっており、基地局からのパケットアクセス許可（ＰＡＧ）信号の受信に応答して移動局はパケットデータを前記の特定されたチャネルで送るようになっていることを特徴とする請求項１、２、３、４、５、６、７、８、９、１０、１１、１２、１３または１４記載のシステム。
【請求項１５】
チャネル予約要求（ＰＲＡ）信号は、移動局の識別子を示すデータと、パケットデータ伝送のために必要なタイムスロットの数と、この要求の優先度とからなることを特徴とする請求項１４記載のシステム。
【請求項１６】
チャネル予約要求（ＰＲＡ）信号は、そのタイムスロットが連続している必要があるか否かを示すデータを更に備えていることを特徴とする請求項１５記載のシステム。
【請求項１７】
移動局は、それに割り当てられたチャネルのみの上のパケット呼び出し（ＰＰ）を監視することを特徴とする、請求項３、４、５、６、７、８、９、１１、１２、１３、１４、１５または１６記載のシステム。
【請求項１８】
前記チャネル上で、パケット呼び出し（ＰＰ）は、移動局に知られている所定の制御タイムスロットにおいてのみ送られ、移動局はそれらのタイムスロットの間だけパケット呼び出し（ＰＰ）を監視することを特徴とする請求項１７記載のシステム。
【請求項１９】
移動局は着信するパケットデータの伝送を示す識別子を目当てとしてシステムの通常呼び出しコールを監視し、前記識別子の検出に応答して移動局はパケットデータ呼び出し（ＰＰ）を監視し始めることを特徴とする、請求項３、４、５、６、７、８、９、１１、１２、１３、１４、１５、１６、１７または１８記載のシステム。
【請求項２０】
チャネル予約要求（ＰＲＡ）信号は、連続する情報チャネルタイムスロットが何個なければならないかを示す識別子を含むことを特徴とする請求項７記載のシステム。
【請求項２１】
パケット呼び出し（ＰＰ）はＴＤＭＡフレームの全てのタイムスロットで送られることを特徴とする、請求項３、４、５、６、７、８、９、１１、１２、１３、１４、１５、１６、１７、１８、１９または２０記載のシステム。
【発明の詳細な説明】
【０００１】
【産業上の利用分野】
本発明は、ＴＤＭＡに基づくセルラシステムのための柔軟な可変速度予約アクセスを有するパケットデータを伝送するシステムに関する。
【０００２】
【従来の技術】
セルラシステムは、回線交換技術に基づいて効率のよいデータおよび音声サービスを提供する。しかし、回線交換においては、ある与えられた時点で情報が送られつつあるか否かに拘らず伝送リンクが接続の期間の全体を通じて維持されるために、伝送資源を最善に利用しているとはいえない。伝送資源は他の多くの利用者と共有されるので、一人の利用者のためにある回線交換接続を維持すると、必要もないのに他の利用者にとってはその伝送資源を無駄にしていることになる。データサービスがバーストで伝送されるという事実も、回線交換においては不利である。情報のパケット交換伝送方法を使うことによってチャネル利用率を改善し、最高に活用することができるようになる。
【０００３】
バーストデータトラヒックでのチャネルの使用を最適化するためのパケット無線を研究する研究計画が幾つかある。時分割多重アクセス（ＴＤＭＡ）は古いシステムでは使われていなかった。最近の研究計画において、１回の使用について複数のタイムスロットを予約することができる、すなわち高いデータ転送速度を可能とする、時分割方式に基づくパケット無線システムが研究された。
【０００４】
ユニバーサルモービルテレコミュニケーション・システム（the universal mobile telecommunication system（ＵＭＴＳ））と呼ばれる未来の第３世代セルラシステムは、サービス総合デジタル網（ＩＳＤＮ）や非同期転送モード（ＡＴＭ）伝送のように回線交換およびパケット伝送の両方を実行しうるものでなければならない。要は、無線パスとの種々のサービスのやりとりを支援するチャネルを当該エアインターフェースで効率よく多重化するために最新の多重アクセス技術を利用するエアインターフェースである。エアインターフェースについてＵＭＴＳシステムが設定した要求事項が、刊行物「モービル・アンド・パーソナル・コミュニケーションズ（the Mobile and Personal Communications）」（13-15 December 1993, カンファレンス  パブリケーション（Conference Publication）No.387, IEE 1993）において公表されたジェイ  エム  デビル氏（Ｊ．Ｍ．Ｄｅｖｉｌｌｅ）の論文「未来の汎用移動通信システムのための予約に基づく多重アクセス方式（A Reservation Based Multiple Access Scheme for a Future Mobile Telecommunications System）」に記述されている。この多重アクセスは、論理チャネルに活動があるときに限って物理的チャネルを割り当てることによって情報源の無活動を利用できなければならず、かつ、必要なときにフレームの中のタイムスロットが論理チャネルに割り当てられるように種々のビット伝送速度を支援できなければならない。
【０００５】
これらの要求事項がその他の要求事項を満たすために、パケット化された音声およびデータの伝送に関連する第３世代のセルラシステムについての提案の一部であるパケット予約多重アクセス（ＰＲＭＡ＋＋）と呼ばれる多重アクセス制御方法が提案されている。パケット交換伝送および回線交換伝送の両方にＰＲＭＡ＋＋を多重アクセス制御として使うことができる。ＰＲＭＡ＋＋法は、パケットデータの伝送において一つのタイムスロットを使うことに努力を集中する。このメカニズムは、そのＴＤＭＡフレームに多数のタイムスロットを有するシステムのために効率のよい多スロット／多ユーザー環境を提供する。
【０００６】
ＰＲＭＡ＋＋は、無線チャネルで時分割多重アクセス方式（ＴＤＭＡ）を使用する。これは、ユーザーが無線チャネル伝送資源を他のユーザーと一緒に使うことを可能にする。つぎに、図１２を参照して、このシステムについてさらに説明する。ＴＤＭＡフレームはタイムスロットに分割され、そのタイムスロットにおいて伝送されるバーストがデータと、チャネル符号化、検出、等々に伴う信号とを運ぶ。アップリンク方向、すなわち移動局からネットワーク（基地局）への方向においては２種類のタイムスロットがある。それは、チャネル要求バーストを送信するためにのみ使われる予約タイムスロット、すなわちＲ−スロットと、情報バーストを送信するためにのみ使われる情報タイムスロット、すなわちＩ−スロットとである。チャネル要求バーストにおいて、移動局は、いわゆるエアインターフェースチャネル識別子を使用するが、この識別子は、論理チャネルを特定する移動局のネットワークアドレスを包含していて、その時点での必要に応じてその使用のためにフレームの中の１個または数個のタイムスロットを要求する。ダウンリンク方向、すなわちネットワーク（基地局）から移動局への方向、においても２種類のタイムスロットがある。それは、情報を送るためのＩ−スロットと、Ａ−スロットすなわち肯定応答タイムスロットとである。移動局がネットワークへのアクセスを要求するとき、基地局は、その要求をしている移動局のアドレスとＩ−スロットの数とを送ることによってＡ−スロットでその要求に肯定応答する。このときから、そのＩ−スロットはその移動局のために予約される。
【０００７】
一つのＴＤＭＡフレームにおいて利用することのできるＰＲＭＡ＋＋タイムスロットの数Ｎはシステム構成パラメータであるものとする。すると、アップリンクチャネルにおいては、１個のＴＤＭＡフレームに１個の予約タイムスロット（Ｒ−スロット）と（Ｎ−１）個の情報タイムスロット（Ｉ−スロット）とがある。全ての移動局は、Ｒ−スロットでチャネル要求を送ることにより送信を開始するが、もしその要求を送るために数個の移動局が同一のＲ−スロットを使用すると衝突が生起することがある。ダウンリンクチャネルにおいても、Ｉ−スロットと、Ｒ−スロットで送られるチャネル予約要求に肯定応答するための上記したＡ−スロットとに加えて、着信データ伝送について移動局に知らせるための高速呼出タイムスロット（ＦＰ−スロット）と情報伝送タイムスロットとがＴＤＭＡフレームの中にある。
【０００８】
移動局は、アップリンクチャネル上で、セルの中の全ての移動局によりこの目的のために使用されるＲ−スロットでチャネル要求を送ることにより接続を開始する。基地局は、Ａ−スロットの中のダウンリンク肯定応答バーストでチャネル要求に肯定応答する。もしＲ−スロットで何らの要求も送られなかったり、あるいはそのチャネル上に衝突があることが基地局により識別されたりすると、基地局は、対応するＡ−スロットの肯定応答バーストで「アイドル」フラグを送る。そうすると移動局は、しばらくしてからチャネル要求をもう一度送るべきであることを知る。Ｒ−スロットで送られたチャネル要求が問題なく受信されたけれども伝送のために空いているタイムスロットがないというばあいには、移動局はつぎのダウンリンク肯定応答タイムスロットでその事を知らされる。移動局は、空いているタイムスロットが見つかるまでアクセスのために待ち合わせをする。
【０００９】
Ｒ−スロットは、トレーニングシーケンスと、その移動局のアドレスと、要求された情報タイムスロットの数と、回線交換フラグとを含む。このフラグは、パケットの持続時間またはそれより長い時間にわたって予約が有効であるか否かを知らせる。チャネルは、予約を解除せよという命令が与えられるまでは予約されている。Ａ−スロットの中の肯定応答バーストは、チャネルとトラヒックに専用されるチャネルとを要求している移動局のアドレスを含む。移動局は、肯定応答バーストを受信し、そののちに送受信機を明示されたチャネルにセットする。そのチャネルでトラヒックが始まり、送るべきデータまたは音声がある間はトラヒックが続く。パケットデータ伝送では、一つのチャネル要求ののちに送られるバースト（このばあいにはパケット）の数を固定することができる。
【００１０】
基地局は、着信するパケットについて移動局に知らせるために高速呼び出しタイムスロット（ＦＲ−スロット）を使う。移動局は、高速呼び出しチャネルを監視し、全ての着信メッセージを復号してそれ自身のコードを発見する。高速呼び出しタイムスロットは、その移動局に割り当てられているＩ−スロットのリストを含む。移動局は、高速呼び出し肯定応答タイムスロット（ＦＲ−ａｃｋ）で肯定応答を送ることによって呼び出しに肯定応答する。
【００１１】
【発明が解決しようとする課題】
与えられた時点において無活動状態にあるアップリンク接続およびダウンリンク接続の両方にその間は物理的チャネルが割り当てられないということが、提案されているＵＭＴＳシステムの特徴であり、これにより資源の不必要な使用が防止されることになる。接続が回線交換接続であるかパケット接続であるかに拘らず、チャネルは常に同一の方法により予約される。チャネルの割り当てが動的でなくて、そのためにパケット使用のために予約されたチャネルを変更することは容易でないということが、この公知のシステムの一つの欠点である。予約タイムスロット、呼び出しタイムスロット、および肯定応答タイムスロットは一定のタイムスロットであって、従来技術のシステムは、これらのタイムスロットの変更に関して何らの立場も取っていない。また、この公知システムは、伝送チャネルを設定するときにパケット伝送の対称性または非対称性を特に考慮してはいない。そのために、このシステムは余り柔軟でないという欠点をもっている。このシステムはタイムスロットの数が大きいばあいにはよいということは事実であるけれどもタイムスロットの数がたとえば１つとか２つとかいう可変数であるばあいには容易に構成し難い。
【００１２】
【課題を解決するための手段】
本発明は、パケット無線接続を通してパケットデータを伝送するための時分割多重アクセス（ＴＤＭＡ）無線電話システムを提供する。このシステムは、
基地局および移動局と、
この基地局および移動局の間でパケット無線接続を通してパケットデータ通信するための複数のＴＤＭＡスロットからなる少なくとも一つの論理チャネルとを包含しており、
該少なくとも一つの論理チャネルのＴＤＭＡスロットの各々のスロットは、連続する物理的なＴＤＭＡフレームで発生しており、
該少なくとも一つの論理チャネルは、連続するＴＤＭＡフレームの中のチャネルから必要に応じてパケット伝送のために動的に予約されており、
予約されるパケットデータチャネルの数は必要に応じて可変になっており、
該少なくとも一つの論理チャネルは、複数の制御スロットからなる制御チャネル（Ｃ）と、
複数の情報スロットからなる情報チャネル（Ｉ）を含んでおり、
連続する物理的なＴＤＭＡフレームで生じる連続的な情報スロットにより、制御スロットが時間的に離されてなる
ことを特徴としている。
【００１３】
これは、パケットデータ伝送のために予約された各々の論理チャネルが互いに独立しているという利点を有する。これにより、ユーザーが利用できるパケットデータチャネルの数のネットワークによる変化が容易になる。よって、ネットワークは、必要に応じてパケットデータ伝送のためにチャネルを動的に割り当てることができる。このようにして、パケットデータ伝送のために必要なチャネルだけが、そのようなものとして予約される。
【００１４】
好ましくは、制御チャネル（Ｃ）は、エラーのない受信されたデータを支持するために肯定応答／再伝送要求バースト（ＡＲＱ）を含む。よって、エラーのないデータが受容されないかまたはデータを再構成できないばあいには、データの再伝送を要求することができる。
【００１５】
好ましくは、論理チャネルは基地局から移動局への伝送のためのダウンリンク論理チャネルであり、制御チャネル（Ｃ）は移動局に着信パケットデータを知らせるためのパケット呼び出し（ＰＰ）データを伝送することができる。
【００１６】
随意的に、制御チャネル（Ｃ）は、移動局から送られてきたチャネル予約要求（ＰＲＡ）に肯定応答するためにパケットアクセス許可（ＰＡＧ）信号を伝送することができる。このようにして、制御チャネルは、予約要求肯定応答チャネルとして作用することができる。
【００１７】
【作用】
本発明は、パケットデータのために予約されたタイムスロットを必要に応じて変更することのできる柔軟なシステムを提案する。
【００１８】
下記の多スロット思想はチャネルの独立性に基いている。全ての物理的無線チャネルは同様であり、一つの、または最大数に到るまでの、幾つかの、チャネルをパケット用に専用することができる。物理層より上の媒体アクセス制御（ＭＡＣ）アルゴリズムは使用されるタイムスロットの数からは影響を受けない。それ故に、オペレータはＴＤＭＡフレームの中の僅か数個のタイムスロットだけを使ってパケットデータ伝送サービスを自由に送り出すことができ、そしてもし必要が生じたならば、ＴＤＭＡフレームの中の全てのタイムスロットを使ってそのサービスの質を向上させることができる。適用対象がたとえばＧＳＭやＤＣＳ１８００や、あるいはそれらから派生したようなものであるばあいには、一つのフレームは８個のタイムスロットを包含し、したがってパケットデータ用に１個から８個までのタイムスロットを使うことができる。ネットワークが多スロット伝送を支援するとしても、移動局は依然としてタイムスロットを１個だけ使うこともできる。このとき、単純な移動局でも、ネットワークが提供するパケットデータサービスを使用することができる。
【００１９】
パケット無線サービスのために二つ以上の搬送波を使用することによって大容量セルを構築することができる。アルゴリズムは、オペレータが使用するタイムスロットの数とは無関係である。オペレータは、１個のタイムスロットから出発して、パケット無線の使用者が増えてきたら最大で８個のタイムスロットまでサービスを向上させることができる。
【００２０】
当然に、搬送波の数も増やすことができるが、これは多数の独立の搬送波を使うことを意味する。
【００２１】
【実施例】
つぎに、添付の図面を参照して本発明の実施例を説明する。
【００２２】
この明細書においては「フレーム」という用語は、特にそうと述べたばあいを除いては、それ自身のタイムスロットを伴う連続するＴＤＭＡフレームではなくて、論理チャネルの連続するタイムスロットを意味する。たとえばＧＳＭシステムではＴＤＭＡフレームには８個のタイムスロットがある。
【００２３】
図１および図２を参照する。図２は、８タイムスロットＴＤＭＡシステムにおいて基地局から見たダウンリンクフレームおよびアップリンクフレームを示す。図１および図２の構造を、もし必要ならばたとえばＧＳＭ５１マルチフレームで組み合わせることができる。セルに行くＴＤＭＡフレームの一つで基地局は制御データＣだけを送り、つぎの４つのフレームの全てのタイムスロットは、パケットデータでありうる情報Ｉを包含する。このようなばあい、単位時間当たりの情報フレームの数は減少し、その結果として情報伝送速度も低下する。
【００２４】
これに対応して、基地局がセルから受信しているときには（アップリンク方向）一つのＴＤＭＡフレームは、移動局から送られる要求、肯定応答、等々を受信するために使われる制御タイムスロットＣだけを含んでいる。つぎの４個のＴＤＭＡフレームは、情報Ｉを受け入れるためのタイムスロットだけを含んでいる。ここである移動局の視点から状況を考察することにしよう。基地局は、各ＴＤＭＡフレームの同じタイムスロットである移動局に制御または情報を送る。よって、ある移動局に送られるタイムスロットは、破線の矢印ａが付けられているタイムスロットである。したがって、移動局は、タイムスロットＣで１個の制御バーストを受信し、そののち、もしその移動局のための情報があれば、４個の連続するバーストで情報Ｉを受信する。このシーケンスを、この明細書ではフレームと称する。受信されるべきものがある間はフレームが受信される。これに対応して、基地局は、破線の矢印ｂが付けられている連続するタイムスロットである移動局から受信をする。制御タイムスロットＣと４個の連続する情報タイムスロットＩで構成されるシーケンスを、この明細書ではフレームと称する。
【００２５】
図１は、（使用される）フレーム構造を示す。アップリンクフレームは上記したように図２において破線の矢印ｂが付けられているタイムスロットで構成され、これに対応して、ダウンリンクフレームは破線の矢印ａが付けられているタイムスロットで構成される。
【００２６】
この明細書は、４個のバーストを使うばあいに関係するものであるが、Ｉフレームはもっと長くても短くてもよい。４個のバーストのＩフレームというのは一例に過ぎず、別の長さ（たとえば８個のバースト）のＴＤＭＡフレームを使うことも可能である。これは最適化問題である。フレームが長いほど、アクセス遅延および最小パケットサイズが長くなる。よって、フレームの長さは物理層においてシステムパラメータである。
【００２７】
物理層において４バースト・フレームを符号化するとき、公知のＧＳＭシステムにおける独立型専用制御チャネル（the stand alone dedicates control channel（ＳＤＣＣＨ））のばあいと同じコーディングを使うことができる。このコードは、４個のバースト、すなわち４５６ビットのフレーム長さを有する。（１８４ビットのユーザーデータと、４０パリティビットと、４テールビットとからなる２２８ビットのブロックが渦巻き状に４５６ビットに符号化される。）回線交換データ転送のばあいの１９と比べて、インターリーブの深さは４であり、このために伝送遅延と最小パケットサイズが小さくなる。また、リードソロモン符合のような、他のコードを使ってフレームを符号化することもできる。
【００２８】
つぎに、図１を参照して物理層を考慮するが、これはつぎのように解されるべきである。もし基地局がパケットデータを受信するとすれば、受信は斜線部のＩタイムスロットで生起する。基地局はダウンリンクＡＲＱタイムスロット（ＡＲＱ  Ｕ）で肯定応答（acknowledge）を送る。従って、接続は斜線部のタイムスロットからなる。これに対応して、基地局がパケットデータを送信しているとき、接続は白色のタイムスロットからなる。
【００２９】
階層１（物理層）において、物理層から上位の階層へ転送するときにフレーム誤り率を低下させるために制御タイムスロットＣにおいて自動再伝送要求（ＡＲＱ）が使用される。しかし、ＡＲＱの使用は随意的なものであり、これをシステムに含める必要はない。データフレームは、誤り訂正コーディングおよびフレーム検査が既に行われている４個のバーストからなる。この例では、アップリンク方向およびダウンリンク方向の両方において５個目毎のバーストが制御目的に使用される。当然に、制御バーストの頻度をここに提案した５個目毎にという頻度より大きくして、移動局の効率と電力消費を最適化してもよい。ダウンリンク方向では、再伝送要求ＡＲＱを含む制御バーストが通常のバーストとして伝送される。アップリンク方向では、ＡＲＱは、長いトレーニングシーケンスを伴うアクセス用のバーストで伝送される。このとき、そのバーストのデータ部分は通常のように乱数を含まないが、それらのビットはＡＲＱビットで置き換えられる。従って、アクセス型の制御バーストの小さな部分（ここでは１２ビットを提案する）が再伝送要求ＡＲＱのために使用される。すると、タイミングの進みを正確には知らない移動局がＡＲＱバーストを送れるようになる。アップリンク方向では、制御バーストはＡＲＱビットだけを含んでいる。
【００３０】
４個のバーストのフレームを送ったのち、送受信機はフレーム肯定応答を監視する。誤りのあるフレームはすぐに送り直され、もしフレームが正しく受信されたならば、伝送が継続して行われる。自動再伝送を要求するときに正しいフレームを指摘するためにフレームに番号をつけることができる。ＡＲＱ肯定応答は、自分が選択的に肯定応答する同一のフレーム番号を有する。番号が付けられた別々に符号化されたブロックを全てのバーストがもつようにすることも可能である。
【００３１】
処理されていない情報ビット伝送速度は、この機構をもつ１つのＴＣＨ／Ｆチャネル上で約１９．７ｋｂｐｓである。一つの移動局（ＭＳ）のために８個のＴＤＭＡタイムスロットを全て使用することにより、処理されていないビット伝送速度は約１５８ｋｂｐｓとなる。自動再伝送要求は、無線パス上で、すなわちＭＳと基地局ＢＴＳとの間で、使用される。
【００３２】
如上においては、本発明によるシステムにおける物理層について説明をした。つぎに、この物理層の上にある制御階層ＭＡＣ（ＭＡＣは多重アクセス制御または媒体アクセス制御を指す略記号である）について考察する。制御階層は、高度の制御メッセージを転送するために使われる。ここでも図２を参照する。ＭＡＣアルゴリズムは階層１の上にある、すなわち５個目毎のバーストが制御目的に使用される。アップリンクチャネルとダウンリンクチャネルとが非対称的にかつ独立に使用される。物理的チャネルを非対称的に使用することにより、チャネルの効率的使用を最適化することが可能となる。データは、通常は、一度に１方向に短い時間間隔を置いたバーストで送られる。別の短い時間間隔の間、データの流れは逆方向になることができる。これは別々のチャネル割り当てにより実行される。独立であるということは、アップリンク方向およびダウンリンク方向の両方を互いに独立に予約できるということを意味する。本方法を対称的に使用することもできるが、そのばあいにはアップリンクチャネルおよびダウンリンクチャネルが組み合わされて保留される。
【００３３】
ダウンリンク制御タイムスロットＣで運ばれる高度制御メッセージは、パケット呼び出しＰＰとパケットアクセス許可ＰＡＧとである。アップリンクにおいては、特別の高度制御タイムスロットはないけれども、移動局は、チャネルを要求するために、空いているどのＩタイムスロットでもパケットランダムアクセス（ＰＲＡ）バーストを送ることができる。物理層では、アップリンク方向に特別の制御タイムスロットがあり、それはＡＲＱのために使用される。
【００３４】
つぎに、ＭＡＣ階層における制御タイムスロットを考察しよう。パケット呼び出しＰＰとパケットアクセス許可ＰＡＧとの両方をタイムスロットＣの一つのバーストにおいて組み合わせることができ、あるいはこの呼び出しおよび要求を別々の制御タイムスロットＣで送ることもできる。パケット呼び出しＰＰとパケットアクセス許可ＰＡＧとを同一の制御バーストにもつことが最善であり、そのセルラシステムにおいて１個のバーストで利用できるビットの数が充分であれば、このことが可能となる。制御バーストは独立に符号化される、すなわち何らのインターリーブも行われない。
【００３５】
ここで図３を参照する。図３は、第１の代替構成を、すなわち肯定応答および呼び出しの組み合わせバーストの構造を示す。無線資源を管理する基地局は、チャネルの状態を、すなわちどのチャネルが空いていてどのチャネルが予約されているかを、監視する。基地局は、全てのダウンリンク制御バーストで、このバーストの一部分（図３では、バーストの始まりの右側）として、空きアップリンクチャネルのビットマップを送る。このビットマップは、アクセスバーストの形でパケットチャネル要求を送ることのできるその時点で使われていないチャネルを移動局に示す。制御バーストには、パケット呼び出しＰＰ、パケットアクセス許可ＰＡＧ、および、物理層の自動再伝送要求ＡＲＱも含まれる。バーストのパケット呼び出しＰＰの部分は、着信するパケットデータ伝送について移動局に知らせるために使われる。この呼び出しは、仮パケット移動局識別子ＴＭＰＩと、ＧＳＭ  ＧＲＰＳでの仮論理リンク識別子ＴＬＬＩと、移動局で終わるデータ伝送のためにネットワークにより予約されるチャネルの記述も含む。制御バーストの第３の部分は、すなわちパケットアクセス許可ＰＡＧは、種々の要求を識別するために使われる乱数と、その接続のために保留されたチャネルのビットマップと、タイミングの進みＴＡとを含む。バーストの最後の部分は、階層１のメッセージに肯定応答するためのＡＲＱを含む。
【００３６】
ＰＰとＰＡＧとを組み合わせたバーストを公知のＧＳＭセルセシステムで使用するばあいには、バーストフィールドのビット内容は、表１の代表的な表のようになりうる。ＰＰおよびＰＡＧは合わせて５５ビットを占め、ＡＲＱは１２ビットを占め、これで合計で６７ビットをバーストに構成する。バースト中の情報ビットの数が充分であること、すなわち情報ビットの数がＧＳＭシステムにおける数と同じであるかまたはそれより大きいことを条件として、この組み合わせバーストを如何なるアプリケーションシステムでも使用することができる。
【００３７】
【表１】
0003880642.tif 000002
【００３８】
図４および図５は、呼び出しバーストおよび肯定応答バーストを転送するための他の代替構成を示す。これらのバーストは、それ自身の制御バーストにＰＰおよびＰＡＧを伴って別々に送られる。ＰＰタイムスロットおよびＰＡＧタイムスロットはダウンリンク制御チャネルを共有する。これらのタイムスロットは、たとえば、交互に送られる。一つ置きの制御スロットＣはパケット呼び出しＰＰのためのタイムスロットで、残りは肯定応答ＰＡＧのためのタイムスロットである。移動局は、バーストの中のスチールビット（the steal bit）を検査することによって呼び出しと肯定応答を識別する。ＰＰタイムスロットはスチールビットとして「１」を有し、ＰＡＧタイムスロットは「０」を有し、あるいはその逆の各々「０」および「１」を有する。時折、その時点でセルに着信するパケット呼び出しＰＰがなければ、パケット呼び出しＰＰの代わりにパケットアクセス許可ＰＡＧを送る必要があるかもしれない。これは、ＰＡＧのためにＰＰタイムスロットを盗んで移動局にスチールビットで知らせることによって実行することができる。
【００３９】
図４に示されているように、分離したパケット呼び出しバースト構造は、第１に、空き／保留チャネルを示すためのビットマップを含む。ＴＤＭＡフレームが８タイムスロットであれば、このビットマップは８個の連続するビットからなる。つぎのフィールドは呼び出しフィールドであり、このフィールドにおいて、第１の部分は仮移動局識別子ＴＭＰＩであり、第２の部分は、パケットデータの伝送のためにネットワークにより保留されたチャネルを移動局に示すビットマップであり、移動局はそのチャネルを使ってパケットデータを受信しなければならない。最後に、自動再伝送要求のためのフィルードがある。表２は、セルラ方式ネットワークがＧＳＭネットワークであるときの呼び出しフィードのビット内容を例として示す。ＴＭＰＩがＧＳＭの仮移動局加入者識別子ＴＭＳＩであれば、このフィールドは６０ビット包含する。もっと短いＴＭＰＩ（たとえば２５ビット）でもよい。
【００４０】
【表２】
0003880642.tif 000003
【００４１】
図５に示されているように、分離したパケットアクセス許可ＰＡＧバーストは、第１に、空き／保留チャネルを示すためのビットマップを含む。次のフィールドは、移動局から送られるパケットランダムアクセスのための肯定応答フィールドである。このフィールドで、第１の部分は、移動局ＭＳが送った要求に含まれる乱数である。つぎに、パケットデータの伝送のためにネットワークにより予約されたチャネルを移動局に示すビットマップが続いている。移動局は、これらのチャネルを使ってパケットデータを送る。最後に、自動再伝送要求（ＡＲＱ）のためのフィールドがある。この要求に使われる乱数は、パケットアクセス許可を特別の移動局に示すために使われる（ＰＡＧへのＰＲＡのマッピング）。セル内の移動局は、このタイムスロットをきき、その乱数は、その肯定応答が向けられている特定の移動局を教える（もし２つの移動局が同じ乱数を選んだら）衝突の確立を小さくするために、識別のために、要求されたタイムスロットの数または優先度またはパケットランダムアクセス（ＰＲＡ）タイムスロットのタイムスロット番号を使用することが可能である（これは、移動局がチャネルを要求するために使ったタイムスロットを指す）これらのパラメータは図５に示されていない。
【００４２】
もしアプリケーションシステムがＧＳＭならば、表３は、図５に示されている制御タイムスロットのビット内容を示す。要求されたタイムスロットの数を示すビットと、優先度を示すビットとは随意的なものである。
【００４３】
【表３】
0003880642.tif 000004
【００４４】
如上において、主として基地局の視点から本発明のシステムの実施例を説明した。つぎに、移動局から基地局への伝送について考察しよう。基地局は、アップリンクチャネルの予約を予定する。基地局は空きチャネルおよび予約済みチャネルについての知識をもっており、その情報は、上記したように、全てのダウンリンク制御バーストで送られる。ビットマップは８ビットからなり、もしフレームが８個のタイムスロットを有するＴＤＭＡフレームであるならば、その８ビットの各々のビットがＴＤＭＡフレームの各タイムスロットに１対１に対応する。保留されたチャネルにはビット１が付けられ、空きチャネルにはビット０が付けられる。もしネットワークがパケット伝送サービスのために８個のタイムスロットの全部を使ってはいなければ、使用されるチャネルだけに空きの印が付けられてもよい。残りのチャネルは、あたかもそれらが予約されているかのように扱われる、すなわちビット１が送られる。
【００４５】
図６を参照する。自分のバッファの中にデータをもっていて、そのデータを送ることを希望している移動局は、ダウンリンクＣタイムスロットで送られる制御バーストを監視する。アップリンクチャネルに空きの印が付けられていることをビットマップが示すまで監視が続けられる。空きチャネルが見つかると、ただちに、図６に一致するアクセスバースト（チャネル要求）が、空きの印が付されているＩタイムスロットで送られる。パケットランダムアクセスＰＲＡバーストを運ぶこのバーストは、たとえば、もし使用されるフレームが４バーストであれば、４個の中の１個としてランダムに選択される。パケットランダムアクセスＰＲＡは、たとえば長いトレーニングシーケンスを伴う、ＧＳＭシステムにおけるアクセスバーストに似ている。そのときバーストのデータ部は、通常のように乱数を含まないが、それらのビットはＰＲＡビットで置き換えられる。長いトレーニングシーケンスがあるために、正確なタイミング進みを知らない移動局は、問題なくＰＲＡバーストを送ることができる。二つ以上の移動局が同じタイムスロットでチャネルを要求するときに生じる可能性のある衝突は、バックオフ・アルゴリズムで処理される。アクセスバーストは、肯定応答バーストで基地局から送り返される乱数と、移動局が希望しているタイムスロットが何個かを示す数と、４レベル優先度数と、そのタイムスロットが連続していなければならないか否かを示すビットとからなる。タイムスロットが連続していなければならないという要件は、ある種の移動局を支援するために必要である。もしたとえばＴＤＭＡフレームにおいて２個のパケットタイムスロットが連続していれば、それらをあつかうことのできる移動局があるかもしれないが、もしそれらのタイムスロットがある距離を置いて離れていれば、存在しない。
【００４６】
表４は、フィールドのビット内容として可能なものを示す。バーストは少なくとも１１ビットからなる。基地局がアクセスバーストＰＲＡを受信すると、基地局は直ちにダウンリンク制御バーストＣでパケットアクセス許可ＰＡＧを送る。もしつぎのパケットアクセス許可を送る前に複数の連続するアクセスバーストが受信されたならば、そのチャネルを移動局に割り当てるために優先度またはランダム選択が使用される。要求されたのと同数の利用可能なタイムスロットがなくても、基地局は、空いているものを全て提供することができる。
【００４７】
【表４】
0003880642.tif 000005
【００４８】
チャネル要求ＰＲＡについて基地局から送られてきた肯定応答ＰＡＧを移動局が受けとると、移動局は、最大数にまで及ぶ１個以上のタイムスロットからなる予約されたチャネルでパケットデータを送り始める。少なくとも、通常のＸ．２５の最大パケットサイズである１２８オクテットを、移動局は１予約中に送ることができる。１２８オクテットは６個の４オクテット・ブロックと同等である。これは、１予約中に送られるデータの最大量が、使用されるタイムスロットの数に依存すること、および、伝送が失敗して再伝送が必要であるばあいには設定された限界値がなければならないということを意味する。再伝送のばあいには、全てを送るために６フレームでは不充分であるので、その限界値は６より大きくなければならない。
【００４９】
図７は、移動局ＭＳから発せられたパケットについての信号チャートを示す。移動局ＭＳはチャネル要求ＰＲＡを送り、これに対して基地局ＢＳはパケットアクセス許可バーストＰＡＧで肯定応答する。その移動局は１個のフレームのタイムスロットでパケットデータを送り、基地局は肯定応答するかまたは再伝送要求を送る。全てのパケットデータが送られてしまうかまたは中断が生じるまで、この手順が継続して行われうる。
【００５０】
図８は、基地局からネットワークへのパケット伝送中における移動局での事象を示す状態遷移図である。データバッファが満杯であるとき、移動局はアイドル状態から受信状態へ移って、基地局から第１制御タイムスロットで情報を受信する。移動局は、空きチャネルがあるか否か確かめるためにビットマップを参照し、もしなければ、つぎの制御タイムスロットの情報を検査する。空いているチャネルが見つかるまで、この手順が続く。空きチャネルが見つかると、直ちにチャネル要求がその空きチャネルで送られ、そしてもし基地局が肯定応答すれば、パケットデータが専用チャネルで送られる。もし何らの肯定応答も受信されなければ、移動局は制御タイムスロットを受信する状態に復帰して空きチャネルを探す。
【００５１】
図９は、移動局ＭＳにアドレス指定されたパケットデータをネットワークが送るばあいを示す。基地局ＢＳは、制御タイムスロットＣでパケット呼び出しＰＰを送ることによりダウンリンク伝送を開始する。このパケット呼び出しＰＰは、移動局の識別子と、予約されたタイムスロットとを含む。これらのタイムスロットは、つぎのＴＤＭＡフレームではじまる。移動局ＭＳがパケット呼び出しを受け取ると、移動局ＭＳはすぐに規定されたタイムスロットでの受信を開始する。
【００５２】
着信するパケットについて移動局ＭＳに知らせるために、パケット呼び出しはダウンリンク制御シーケンスの全ての連続するタイムスロットで送られる。これは、移動局に着信するパケットがあるか否かを知るために移動局は全てのパケット呼び出しチャネルを監視しなければならないということを意味する。そのために、当然移動局の電池に蓄えられたエネルギーが使われることになる。電力消費を最適化するために、たとえば仮識別子またはＩＭＳＩに応じて移動局を種々の呼び出しグループに分けることができる。このばあい、移動局は、全てのタイムスロットを監視する代わりに、ＴＤＭＡフレームの中の唯一のタイムスロットだけを監視すればよい。８個のタイムスロットがありうるのであるから、１個のタイムスロットだけを監視する方が実用的である。不連続受信ＤＲＸを支援するためには呼び出し頻度を更に小さくすることができる。しかし、そうすると遅延が大きくなる。したがってＤＲＸは移動局のための選択可能なモードであるべきである。現在のＧＳＭシステムで使われる呼び出しバーストに「着信パケット」というコードを付加することにより、現在のＧＳＭシステムで使われる呼び出しバーストとＤＲＸ電力節約機能とを組み合わせることができる。このとき移動局は標準の呼び出しを監視し、このコードは移動局に着信パケット伝送について知らせる。すると移動局はパケット呼び出しチャネルＰＰを監視し始め、このチャネルから必要な情報を受けとる。もちろん、ネットワークは、移動局が標準呼び出しチャネルを監視しているか、それともパケット呼び出しチャネルを監視しているかを知る必要がある。移動局は、この情報を短い管理メッセージで送る。
【００５３】
もし基地局がある数のフレーム（たとえば７個のフレーム）でＡＲＱ肯定応答を受けとらなければ、移動局は、自分がフレームを正しく受け取っていないと判断する。すると、パケット呼び出しが繰り返される。
【００５４】
図１０は、図９に示されているばあいについての移動局の状態遷移図である。図９に関連する記述に基づいてこの図を理解することは容易であるので、これ以上の説明は不要である。しかし、大半の時間、移動局は、制御バーストを受けとって、自分に着信するパケットデータがあるか否か判断している、ということを指摘しておく。
【００５５】
データリンク層で使われるフレームの長さは可変であってもよい。たとえばＸ．２５プロトコルのばあいのように１２８オクテットを最大の長さとすることができる。可変長さはリンク層における肯定応答の数と予約の数とを減少させる。
【００５６】
特許請求の範囲の欄で提議されている発明の範囲内でシステムをいろいろな態様で実現できる。たとえば、制御タイムスロットは図２に示されているようになっていないくてもよく、図１１に示されているように斜めに動かされてもよい。
【００５７】
各フレームにおいて、制御タイムスロットＣは１個のタイムスロットだけ前に進められ、これにより、図１１に示されているようにアップリンクおよびダウンリンクの両方において制御タイムスロットの斜めパターンを創り出す。しかし、図２に示されているばあいと同じく、専用フレームは依然として制御タイムスロットＣと４個の情報タイムスロットＩとからなっている。
【００５８】
本開示の範囲は、それが特許請求された発明に係わるものであるかあるいは本発明が扱う問題の中のいずれかまたは全部をある程度解決するものであるかに係わらず、明示的にまたは暗示的にここに開示したどの新規な特徴またはその組合わせまたはその一般化も含んでいる。出願人は、この出願またはそれから派生した更なる出願の遂行において新クレームをそのような特徴に定式化できることをここで述べておく。
【００５９】
【発明の効果】
パケットデータのために予約されたタイムスロットを必要に応じて変更することのできる柔軟なシステムがえられる。
【図面の簡単な説明】
【図１】本発明のシステムにおける論理チャネルの構造を示すものである。
【図２】８個のタイムスロットを使用するシステムのチャネル構造を示すものである。
【図３】呼び出しおよび肯定応答の組み合わされたタイムスロットの構造を示すものである。
【図４】呼び出しタイムスロットの構造の例を示すものである。
【図５】パケットアクセス許可タイムスロットの構造を示すものである。
【図６】パケットランダムアクセスパートの構造を示すものである。
【図７】移動局から発するパケット伝送の信号チャートを示すものである。
【図８】移動局から発するパケット伝送における状態遷移を示すものである。
【図９】移動局で終端するパケット伝送の信号チャートを示すものである。
【図１０】移動局で終端するパケット伝送における状態遷移を示すものである。
【図１１】ＴＤＭＡフレームにおける制御タイムスロットの変化を示すものである。
【図１２】ＵＭＴＳシステムのフレーム構造を示すものである。
【符号の説明】
ＡＲＱ  肯定応答／再伝送要求バースト
Ｃ  制御チャネル
Ｉ  情報チャネル
ＰＰ  パケット呼び出し
ＰＡＧ  パケットアクセス許可
ＰＲＡ  チャネル予約要求
【図１】
0003880642.tif 000006
【図２】
0003880642.tif 000007
【図３】
0003880642.tif 000008
【図４】
0003880642.tif 000009
【図５】
0003880642.tif 000010
【図６】
0003880642.tif 000011
【図７】
0003880642.tif 000012
【図８】
0003880642.tif 000013
【図９】
0003880642.tif 000014
【図１０】
0003880642.tif 000015
【図１１】
0003880642.tif 000016
【図１２】
0003880642.tif 000017